(57)【要約】【課題】電極体を集電体から吊り下げる構成においても、集電体が損傷するのを抑制することができる蓄電素子を提供する。【解決手段】容器１００と、正極端子２００と、電極体と、正極端子２００及び電極体を電気的に接続する正極集電体１４０とを備える蓄電素子１０であって、正極集電体１４０の側方である第一方向に配置され、第一方向と交差する第二方向に延びるスペーサ４００と、容器１００に固定された絶縁部材１２０とを備え、スペーサ４００及び絶縁部材１２０の少なくとも一方は、他方と係合することで、容器１００の第一方向へのスペーサ４００の移動を規制する突起部を有する。【選択図】図１０
2015135768.tif 000002
【特許請求の範囲】
【請求項１】
容器と、電極端子と、電極体と、前記電極端子及び前記電極体を電気的に接続する集電体とを備える蓄電素子であって、
前記集電体の側方である第一方向に配置され、前記第一方向と交差する第二方向に延びるスペーサと、
前記容器に固定された固定部材とを備え、
前記スペーサ及び前記固定部材の少なくとも一方は、他方と係合することで、前記容器の前記第一方向への前記スペーサの移動を規制する突起部を有する
蓄電素子。
【請求項２】
前記スペーサは、前記固定部材と、着脱可能に係合している
請求項１に記載の蓄電素子。
【請求項３】
前記スペーサは、前記固定部材と係合することで前記第一方向への前記スペーサの移動を規制する第一突起部を有し、
前記固定部材は、前記第一突起部と係合する係合部を有する
請求項１または２に記載の蓄電素子。
【請求項４】
前記第一突起部は、前記係合部と前記集電体との間に着脱可能に配置される
請求項３に記載の蓄電素子。
【請求項５】
前記固定部材は、前記集電体と前記容器とを絶縁する絶縁部材である
請求項１〜４のいずれか１項に記載の蓄電素子。
【請求項６】
前記スペーサは、前記集電体と係合することで前記集電体の移動を規制する規制部を有する
請求項１〜５のいずれか１項に記載の蓄電素子。
【請求項７】
前記規制部は、前記電極体に向けて突出して形成され、前記集電体と係合することで前記第二方向への前記集電体の移動を規制する
請求項６に記載の蓄電素子。
【請求項８】
前記規制部は、前記集電体の側方に突出して配置され、前記集電体と係合することで前記第一方向への前記集電体の移動を規制する第二突起部を有する
請求項６または７に記載の蓄電素子。
【請求項９】
前記集電体は、前記電極体と接続される複数の電極体接続部のうちの隣り合う２つの電極体接続部を連結する連結部を有し、
前記規制部は、前記連結部と係合することで前記第二方向への前記集電体の移動を規制する
請求項６〜８のいずれか１項に記載の蓄電素子。
【発明の詳細な説明】
【技術分野】
【０００１】
本発明は、電極端子と、電極体と、電極端子及び電極体を電気的に接続する集電体とを備える蓄電素子に関する。
【背景技術】
【０００２】
世界的な環境問題への取り組みとして、ガソリン自動車から電気自動車への転換が重要になってきている。このため、リチウムイオン二次電池などの蓄電素子を動力源に用いた電気自動車（ＥＶ）、プラグインハイブリッド電気自動車（ＰＨＥＶ）、ハイブリッド電気自動車（ＨＥＶ）などの開発が進められている。そして、このような蓄電素子においては、一般的に、正極と負極とを有する電極体と、電極端子と、電極体及び電極端子を電気的に接続する集電体とを備えている。
【０００３】
ここで、従来、電極体を集電体に接合して、当該電極体を集電体から吊り下げることで保持する蓄電素子が提案されている（例えば、特許文献１参照）。この蓄電素子においては、１つの集電体から垂れ下がった複数の足のそれぞれを複数の電極体のそれぞれに接合して、それぞれの電極体を集電体から吊り下げることで、それぞれの電極体を保持している。
【先行技術文献】
【特許文献】
【０００４】
【特許文献１】特開２０１３−０７７５４６号公報
【発明の概要】
【発明が解決しようとする課題】
【０００５】
しかしながら、電極体を集電体から吊り下げる構成の上記従来の蓄電素子では、振動や衝撃に弱いという問題がある。
【０００６】
つまり、上記従来の蓄電素子においては、集電体に電極体が吊り下げられているため、振動や衝突時の衝撃などによって集電体に過大な負荷がかかると、集電体が変形したり、あるいは、集電体と電極体との接合部分において損傷が生じる虞がある。
【０００７】
本発明は、上記問題を解決するためになされたものであり、電極体を集電体から吊り下げる構成において、耐振動性または耐衝撃性を向上させることができる蓄電素子を提供することを目的とする。
【課題を解決するための手段】
【０００８】
上記目的を達成するために、本発明の一態様に係る蓄電素子は、容器と、電極端子と、電極体と、前記電極端子及び前記電極体を電気的に接続する集電体とを備える蓄電素子であって、前記集電体の側方である第一方向に配置され、前記第一方向と交差する第二方向に延びるスペーサと、前記容器に固定された固定部材とを備え、前記スペーサ及び前記固定部材の少なくとも一方は、他方と係合することで、前記容器の前記第一方向への前記スペーサの移動を規制する突起部を有する。
【０００９】
これによれば、蓄電素子において、集電体の側方に配置されたスペーサと容器に固定された固定部材との少なくとも一方は、他方と係合することで、容器に対する第一方向へのスペーサの移動を規制する突起部を有している。このため、当該突起部によって、容器に対する第一方向へのスペーサの移動が規制されるため、スペーサの側方に配置された集電体が振動や衝突時の衝撃などによって第一方向へ揺れるのを、当該スペーサが抑制することができる。これにより、当該蓄電素子によれば、電極体を集電体から吊り下げる構成において、当該スペーサが集電体の揺れを抑えることができるため、変形や損傷を抑制し、耐振動性または耐衝撃性を向上させることができる。
【００１０】
また、前記スペーサは、前記固定部材と、着脱可能に係合していることにしてもよい。
【００１１】
これによれば、スペーサと固定部材とが着脱可能に構成されているため、簡易な構成で、スペーサを固定部材に配置することができる。
【００１２】
また、前記スペーサは、前記固定部材と係合することで前記第一方向への前記スペーサの移動を規制する第一突起部を有し、前記固定部材は、前記第一突起部と係合する係合部を有することにしてもよい。
【００１３】
これによれば、スペーサの第一突起部と固定部材の係合部とが係合することでスペーサの第一方向への移動を規制するため、簡易な構成で、容器に対するスペーサの移動を規制することができる。
【００１４】
また、前記第一突起部は、前記係合部と前記集電体との間に着脱可能に配置されることにしてもよい。
【００１５】
これによれば、スペーサの第一突起部を、固定部材の係合部と集電体との間に着脱可能に配置する構成とすることで、簡易な構成で、容器に対するスペーサの移動をさらに規制することができる。
【００１６】
また、前記固定部材は、前記集電体と前記容器とを絶縁する絶縁部材であることにしてもよい。
【００１７】
これによれば、固定部材として、集電体と容器とを絶縁する絶縁部材（パッキン）を用いることができるため、簡易な構成で、容器に対するスペーサの移動を規制することができる。
【００１８】
また、前記スペーサは、前記集電体と係合することで前記集電体の移動を規制する規制部を有することにしてもよい。
【００１９】
これによれば、スペーサは、集電体と係合することで集電体の移動を規制する規制部を有しているため、スペーサに対する集電体の移動が規制される。ここで、容器に対するスペーサの移動が規制されているため、スペーサに対する集電体の移動が規制されることで、容器に対する集電体の移動を規制することができる。このため、蓄電素子において、変形や損傷を抑制し、耐振動性または耐衝撃性を向上させることができる。
【００２０】
また、前記規制部は、前記電極体に向けて突出して形成され、前記集電体と係合することで前記第二方向への前記集電体の移動を規制することにしてもよい。
【００２１】
これによれば、スペーサの規制部は、電極体に向けて突出して形成されているため、当該規制部によってスペーサの強度を補強しつつ、第二方向への集電体の移動を規制することができる。このため、当該規制部によってスペーサの強度を補強しつつ集電体の第二方向への揺れを抑えることができるため、変形や損傷を抑制し、耐振動性または耐衝撃性を向上させることができる。
【００２２】
また、前記規制部は、前記集電体の側方に突出して配置され、前記集電体と係合することで前記第一方向への前記集電体の移動を規制する第二突起部を有することにしてもよい。
【００２３】
これによれば、スペーサは、集電体の側方の第二突起部によって、第一方向への集電体の移動を規制することができるため、簡易な構成で、スペーサに対する集電体の移動を規制することができる。
【００２４】
また、前記集電体は、前記電極体と接続される複数の電極体接続部のうちの隣り合う２つの電極体接続部を連結する連結部を有し、前記規制部は、前記連結部と係合することで前記第二方向への前記集電体の移動を規制することにしてもよい。
【００２５】
これによれば、スペーサの規制部は、集電体の隣り合う２つの電極体接続部を連結する連結部と係合することで、第二方向への集電体の移動を規制する。このため、簡易な構成で、スペーサに対する集電体の移動を規制することができる。
【００２６】
なお、本発明は、このようなスペーサ、固定部材または集電体を備える蓄電素子として実現することができるだけでなく、当該スペーサ、固定部材または集電体としても実現することができる。
【発明の効果】
【００２７】
本発明における蓄電素子によれば、電極体を集電体から吊り下げる構成において、耐振動性または耐衝撃性を向上させることができる。
【図面の簡単な説明】
【００２８】
【図１】本発明の実施の形態に係る蓄電素子の外観を模式的に示す斜視図である。
【図２】本発明の実施の形態に係る蓄電素子の容器本体を分離して蓄電素子が備える各構成要素を示す斜視図である。
【図３】本発明の実施の形態に係る蓄電素子を分解した場合の各構成要素を示す分解斜視図である。
【図４】本発明の実施の形態に係る正極集電体の構成を示す斜視図である。
【図５】本発明の実施の形態に係る正極集電体を正面から見た場合の正面図である。
【図６】本発明の実施の形態に係る正極集電体が第一電極体及び第二電極体に接続されている構成を示す断面図である。
【図７】本発明の実施の形態に係る絶縁部材の構成を示す斜視図である。
【図８】本発明の実施の形態に係るスペーサの構成を示す斜視図である。
【図９Ａ】本発明の実施の形態に係るスペーサの第一規制部の構成を拡大して示す斜視図である。
【図９Ｂ】本発明の実施の形態に係るスペーサの第二規制部及び第三規制部の構成を拡大して示す斜視図である。
【図１０】本発明の実施の形態に係る絶縁部材と正極集電体とスペーサとが配置された構成を示す斜視図である。
【図１１Ａ】本発明の実施の形態に係るスペーサの第一突起部と絶縁部材の係合部と正極集電体との配置位置を拡大して示す断面図である。
【図１１Ｂ】本発明の実施の形態に係るスペーサの第一規制部と正極集電体の連結部との配置位置を拡大して示す断面図である。
【図１２】本発明の実施の形態に係る第一電極体及び第二電極体と正極集電体とに、スペーサが配置された構成を示す断面図である。
【図１３】本発明の実施の形態に係る絶縁部材と正極集電体及び負極集電体とスペーサとを配置して、蓄電素子を製造する製造工程を示す図である。
【図１４】本発明の実施の形態に係る絶縁部材と正極集電体及び負極集電体とスペーサとを配置して、蓄電素子を製造する製造工程を示す図である。
【図１５】本発明の実施の形態の変形例１に係る正極集電体を正面から見た場合の正面図である。
【図１６】本発明の実施の形態の変形例２に係る正極集電体の構成を示す斜視図である。
【図１７】本発明の実施の形態の変形例２に係る正極集電体を正面から見た場合の正面図である。
【図１８】本発明の実施の形態の変形例２に係る正極集電体が第一電極体及び第二電極体に接続されている構成を示す断面図である。
【図１９】本発明の実施の形態の変形例３に係る正極集電体を正面から見た場合の正面図である。
【図２０】本発明の実施の形態の変形例４に係る正極集電体の構成を示す斜視図である。
【発明を実施するための形態】
【００２９】
以下、図面を参照しながら、本発明の実施の形態に係る蓄電素子について説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００３０】
なお、以下の説明及び図面中において、蓄電素子の電極体の巻回軸方向をＸ軸方向（以下、第一方向ともいう）と定義する。つまり、Ｘ軸方向（第一方向）は、集電体もしくは電極端子の並び方向、または、容器の短側面の対向方向として定義できる。また、蓄電素子の上下方向をＺ軸方向（以下、第二方向ともいう）と定義する。つまり、Ｚ軸方向（第二方向）は、集電体の足が延びる方向、または、容器の短側面の長手方向として定義できる。また、Ｘ軸方向及びＺ軸方向と交差する方向をＹ軸方向と定義する。つまり、Ｙ軸方向は、容器の長側面の対向方向、容器の短側面の短手方向、または、容器の厚さ方向として定義できる。
【００３１】
（実施の形態）
まず、蓄電素子１０の構成について、説明する。
【００３２】
図１は、本発明の実施の形態に係る蓄電素子１０の外観を模式的に示す斜視図である。図２は、本発明の実施の形態に係る蓄電素子１０の容器１００の容器本体１１１を分離して蓄電素子１０が備える各構成要素を示す斜視図である。図３は、本発明の実施の形態に係る蓄電素子１０を分解した場合の各構成要素を示す分解斜視図である。なお、図３は、容器１００の容器本体１１１及びスペーサ４００、５００を省略して図示している。
【００３３】
蓄電素子１０は、電気を充電し、また、電気を放電することのできる二次電池であり、より具体的には、リチウムイオン二次電池などの非水電解質二次電池である。特に、蓄電素子１０は、電気自動車（ＥＶ）、プラグインハイブリッド電気自動車（ＰＨＥＶ）、またはハイブリッド電気自動車（ＨＥＶ）に適用される。なお、蓄電素子１０は、非水電解質二次電池には限定されず、非水電解質二次電池以外の二次電池であってもよいし、キャパシタであってもよい。
【００３４】
これらの図に示すように、蓄電素子１０は、容器１００と、正極端子２００と、負極端子３００とを備えている。また、容器１００内方には、絶縁部材１２０、１３０と、正極集電体１４０と、負極集電体１５０と、２つの電極体である第一電極体１６１及び第二電極体１６２と、スペーサ４００、５００とが収容されている。
【００３５】
また、蓄電素子１０の容器１００の内部には電解液（非水電解液）などの液体が封入されているが、当該液体の図示は省略する。なお、容器１００に封入される電解液としては、蓄電素子１０の性能を損なうものでなければその種類に特に制限はなく様々なものを選択することができる。
【００３６】
容器１００は、矩形筒状で底を備える容器本体１１１と、容器本体１１１の開口を閉塞する板状部材である蓋体１１０とで構成されている。また、容器１００は、第一電極体１６１及び第二電極体１６２等を内部に収容後、蓋体１１０と容器本体１１１とが溶接等されることにより、内部を密封することができるものとなっている。なお、蓋体１１０及び容器本体１１１の材質は、特に限定されないが、例えばステンレス鋼、アルミニウム、アルミニウム合金など溶接可能な金属であるのが好ましい。
【００３７】
第一電極体１６１及び第二電極体１６２は、並列に配置される２つの発電要素であり、ともに、正極集電体１４０及び負極集電体１５０と電気的に接続される。なお、第一電極体１６１と第二電極体１６２とは、同様の構成を有している。
【００３８】
具体的には、第一電極体１６１及び第二電極体１６２は、正極と負極とセパレータとを備え、電気を蓄えることができる部材である。正極は、アルミニウムやアルミニウム合金などからなる長尺帯状の金属箔である正極基材層上に正極活物質層が形成されたものである。また、負極は、銅や銅合金などからなる長尺帯状の金属箔である負極基材層上に負極活物質層が形成されたものである。また、セパレータは、樹脂からなる微多孔性のシートである。
【００３９】
ここで、正極活物質層に用いられる正極活物質、または負極活物質層に用いられる負極活物質としては、リチウムイオンを吸蔵放出可能な正極活物質または負極活物質であれば、適宜公知の材料を使用できる。
【００４０】
そして、第一電極体１６１及び第二電極体１６２は、正極と負極との間にセパレータが挟み込まれるように層状に配置されたものが巻き回されて形成されている。なお、同図では、第一電極体１６１及び第二電極体１６２の形状としては長円形状を示したが、円形状または楕円形状でもよい。また、第一電極体１６１及び第二電極体１６２の形状は巻回型に限らず、平板状極板を積層した形状でもよい。
【００４１】
なお、第一電極体１６１及び第二電極体１６２は、正極側の端部１６０ａと負極側の端部１６０ｂとを有している。端部１６０ａは、正極の活物質層非形成部が積層されて束ねられた電極体の正極側の端部であり、端部１６０ｂは、負極の活物質層非形成部が積層されて束ねられた電極体の負極側の端部である。なお、正極の活物質層非形成部とは、正極のうち正極活物質が塗工されず正極基材層が露出した（正極活物質層が形成されていない）部分であり、負極の活物質層非形成部とは、負極のうち負極活物質が塗工されず負極基材層が露出した（負極活物質層が形成されていない）部分である。
【００４２】
また、第一電極体１６１及び第二電極体１６２は、絶縁性のフィルムである絶縁フィルム１６３が周囲に巻きつけられて、束ねられている。ここで、絶縁フィルム１６３は、長方形状のシート状の樹脂製の部材であり、第一電極体１６１及び第二電極体１６２に巻きつけられて、巻き終わり部分を絶縁テープなどにより留められることで、固定される。なお、絶縁フィルム１６３の材質は、絶縁性を有するフィルムであれば限定されない。
【００４３】
以上のように、蓄電素子１０は、複数の電極体（本実施の形態では２つの電極体）を有しているため、同一体積（容積）の容器１００に単数の電極体を用いる場合に比べ、以下の点で好ましい。つまり、複数の電極体を用いることで、単数の電極体を用いる場合に比べ、容器１００のコーナー部のデッドスペースが減り、電極体の占める割合が向上するため、蓄電素子１０の容量アップにつながる。また、特に、高入出力（ハイレート）用の電極体では、高容量タイプの電極体に比べて、金属箔上の活物質の量を減らす必要があり、電極体中での金属箔やセパレータの割合が高まる。このため、単数の電極体を用いた場合は電極の巻き数が多くなるため硬くて柔軟性が低く容器１００に挿入しづらくなるが、複数の電極体を用いることで１つの電極体における巻き数を少なくし、柔軟性が高い電極体を実現することができる。
【００４４】
正極集電体１４０は、第一電極体１６１及び第二電極体１６２の正極側に配置され、正極端子２００と第一電極体１６１及び第二電極体１６２の正極とに電気的に接続される導電性と剛性とを備えた部材である。なお、正極集電体１４０は、第一電極体１６１及び第二電極体１６２の正極基材層と同様、アルミニウムまたはアルミニウム合金などで形成されている。
【００４５】
具体的には、正極集電体１４０は、第一電極体１６１及び第二電極体１６２の正極側の端部１６０ａに溶接等によって接合されることで、第一電極体１６１及び第二電極体１６２の正極と接続される。また、正極集電体１４０には、開口部１４０ａが形成されており、開口部１４０ａに後述の正極端子２００の接続部２１０が挿入されることで、正極集電体１４０と正極端子２００とが接続される。
【００４６】
負極集電体１５０は、第一電極体１６１及び第二電極体１６２の負極側に配置され、負極端子３００と第一電極体１６１及び第二電極体１６２の負極とに電気的に接続される導電性と剛性とを備えた部材である。なお、負極集電体１５０は、第一電極体１６１及び第二電極体１６２の負極基材層と同様、銅または銅合金などで形成されている。
【００４７】
具体的には、負極集電体１５０は、第一電極体１６１及び第二電極体１６２の負極側の端部１６０ｂに溶接等によって接合されることで、第一電極体１６１及び第二電極体１６２の負極と接続される。また、負極集電体１５０には、開口部１５０ａが形成されており、開口部１５０ａに後述の負極端子３００の接続部３１０が挿入されることで、負極集電体１５０と負極端子３００とが接続される。
【００４８】
絶縁部材１２０、１３０は、容器１００の内方に配置された状態で、容器１００に固定された固定部材である。ここで、固定部材とは、蓄電素子１０が組み立てられた状態において容器１００に固定されている部材であればよく、蓄電素子１０の解体時には容器１００から取り外し可能な部材も含まれる。
【００４９】
具体的には、絶縁部材１２０は、容器１００の蓋体１１０に固定され、正極集電体１４０と容器１００とを絶縁する絶縁性の樹脂などで形成された矩形状のパッキンである。なお、絶縁部材１２０には、後述の正極端子２００の接続部２１０が挿入される開口部１２０ａが形成されている。
【００５０】
また、同様に、絶縁部材１３０は、容器１００の蓋体１１０に固定され、負極集電体１５０と容器１００とを絶縁する絶縁性の樹脂などで形成された矩形状のパッキンである。なお、絶縁部材１３０には、後述の負極端子３００の接続部３１０が挿入される開口部１３０ａが形成されている。
【００５１】
正極端子２００は、第一電極体１６１の正極及び第二電極体１６２の正極に電気的に接続された電極端子であり、負極端子３００は、第一電極体１６１の負極及び第二電極体１６２の負極に電気的に接続された電極端子である。つまり、正極端子２００及び負極端子３００は、第一電極体１６１及び第二電極体１６２に蓄えられている電気を蓄電素子１０の外部空間に導出し、また、第一電極体１６１及び第二電極体１６２に電気を蓄えるために蓄電素子１０の内部空間に電気を導入するための金属製の電極端子である。
【００５２】
また、正極端子２００及び負極端子３００は、第一電極体１６１及び第二電極体１６２の上方に配置された蓋体１１０に取り付けられている。具体的には、図３に示すように、正極端子２００には、正極端子２００と正極集電体１４０とを電気的に接続する接続部２１０が設けられている。
【００５３】
接続部２１０は、正極集電体１４０の開口部１４０ａに挿入されて、正極集電体１４０に接続される部材であり、例えばリベットである。つまり、正極端子２００は、接続部２１０が蓋体１１０の貫通孔１１０ａと絶縁部材１２０の開口部１２０ａと正極集電体１４０の開口部１４０ａとに挿入されて、かしめられることにより、絶縁部材１２０及び正極集電体１４０とともに蓋体１１０に固定される。
【００５４】
また同様に、負極端子３００には、負極端子３００と負極集電体１５０とを電気的に接続する接続部３１０が設けられている。接続部３１０は、負極集電体１５０の開口部１５０ａに挿入されて、負極集電体１５０に接続される部材であり、例えばリベットである。つまり、負極端子３００は、接続部３１０が蓋体１１０の貫通孔１１０ｂと絶縁部材１３０の開口部１３０ａと負極集電体１５０の開口部１５０ａとに挿入されて、かしめられることにより、絶縁部材１３０及び負極集電体１５０とともに蓋体１１０に固定される。
【００５５】
なお、正極端子２００と蓋体１１０との間、及び負極端子３００と蓋体１１０との間にも、パッキン等の絶縁部材が配置されているが、同図では省略して図示している。
【００５６】
スペーサ４００、５００は、集電体の側方であるＸ軸方向（以下、第一方向ともいう）に配置され、当該第一方向と交差するＺ軸方向（以下、第二方向ともいう）に延びるスペーサである。
【００５７】
具体的には、スペーサ４００は、正極集電体１４０のＸ軸方向プラス側に、正極集電体１４０と容器１００の側壁とで挟まれ、かつ当該側壁に沿って延びるように配置されている。また、スペーサ５００は、負極集電体１５０のＸ軸方向マイナス側に、負極集電体１５０と容器１００の側壁とで挟まれ、かつ当該側壁に沿って延びるように配置されている。
【００５８】
つまり、スペーサ４００とスペーサ５００とは、第一電極体１６１及び第二電極体１６２をＸ軸方向の両端から挟み込むように、第一電極体１６１及び第二電極体１６２の両端と容器１００の両側壁との間に配置されている。
【００５９】
ここで、スペーサ４００、５００は、例えばポリプロピレン（ＰＰ）、ポリフェニレンサルファイド（ＰＰＳ）、ポリエチレンテレフタラート（ＰＥＴ）、セラミック、およびそれらの複合材料などの絶縁性の材料で形成されている。つまり、スペーサ４００、５００は、第一電極体１６１、第二電極体１６２、正極集電体１４０及び負極集電体１５０と容器１００とを絶縁する。また、スペーサ４００、５００は、第一電極体１６１、第二電極体１６２、正極集電体１４０及び負極集電体１５０と容器１００との間のスペースを埋めることにより、第一電極体１６１、第二電極体１６２、正極集電体１４０及び負極集電体１５０が容器１００に対して振動しないように支持する。
【００６０】
また、スペーサ４００は、第一方向（Ｘ軸方向）と交差する第二方向（Ｚ軸方向）において正極集電体１４０の一部と当接することで、正極集電体１４０の第二方向への移動を規制する機能も有している。また、同様に、スペーサ５００は、当該第二方向（Ｚ軸方向）において負極集電体１５０の一部と当接することで、負極集電体１５０の第二方向への移動を規制する機能も有している。詳細については、後述する。
【００６１】
次に、正極集電体１４０及び負極集電体１５０の構成について、詳細に説明する。なお、正極集電体１４０と負極集電体１５０とは、同様の構成を有するため、以下では正極集電体１４０についての説明を行い、負極集電体１５０についての説明は省略する。
【００６２】
図４は、本発明の実施の形態に係る正極集電体１４０の構成を示す斜視図である。具体的には、同図は、図３に示された正極集電体１４０を奥側の斜め下方から見た場合の斜視図である。また、図５は、本発明の実施の形態に係る正極集電体１４０を正面（Ｘ軸方向マイナス側）から見た場合の正面図である。
【００６３】
また、図６は、本発明の実施の形態に係る正極集電体１４０が第一電極体１６１及び第二電極体１６２に接続されている構成を示す断面図である。具体的には、同図は、図２に示した正極集電体１４０が第一電極体１６１及び第二電極体１６２に接合された状態をＸＹ平面に平行な平面で切断した場合の断面を示す断面図である。
【００６４】
これらの図に示すように、正極集電体１４０は、端子接続部１４１と、複数の電極体接続部（本実施の形態では、外側電極体接続部１４２、１４３及び内側電極体接続部１４４、１４５の４つの電極体接続部）と、補強部１４６、１４７と、連結部１４８とを有している。
【００６５】
端子接続部１４１は、正極端子２００と電気的に接続される矩形状かつ平板状の部位である。具体的には、端子接続部１４１は、正極端子２００側（Ｚ軸方向プラス側）に配置され、開口部１４０ａに正極端子２００の接続部２１０が挿入されて接続部２１０に接続されることで、正極端子２００と接続される。
【００６６】
ここで、開口部１４０ａは、端子接続部１４１に形成された円形状の貫通孔であり、具体的には、接続部２１０の外形状に対応した形状を有している。なお、開口部１４０ａの形状は、円形状には限定されず、楕円形状や四角形状などであってもかまわないが、接続部２１０の外形状に対応した形状であるのが好ましい。また、開口部１４０ａは、接続部２１０が挿入される開口部であれば貫通孔でなくともよく、半円形状や矩形状に切り欠いた切り欠き部などであってもかまわない。
【００６７】
複数の電極体接続部（外側電極体接続部１４２、１４３及び内側電極体接続部１４４、１４５）は、端子接続部１４１の端部に接続され、端子接続部１４１から下方（Ｚ軸マイナス方向）に延びるように配置される長尺状かつ平板状（棒状）の部材である。具体的には、当該複数の電極体接続部は、複数の電極体である第一電極体１６１及び第二電極体１６２側（Ｚ軸方向マイナス側）に配置され、当該複数の電極体に接続される。
【００６８】
ここで、外側電極体接続部１４２、１４３は、当該複数の電極体と接続される複数の電極体接続部のうちの外側の電極体接続部である。また、内側電極体接続部１４４、１４５は、当該複数の電極体と接続される複数の電極体接続部のうちの内側の電極体接続部である。
【００６９】
具体的には、外側電極体接続部１４２、１４３は、当該複数の電極体接続部のうちの最も外側の電極体接続部であり、端子接続部１４１の側面（Ｙ軸方向の両側面）から当該複数の電極体に向けて垂れ下がるように配置されており、当該複数の電極体に接続される。つまり、外側電極体接続部１４２及び１４３は、Ｚ軸方向に延びる部材であり、ＸＺ平面に平行な面を対向して有しており、外側電極体接続部１４２は、第二電極体１６２に接続され、外側電極体接続部１４３は、第一電極体１６１に接続される。
【００７０】
また、外側電極体接続部１４２、１４３は、容器本体１１１の底面部には到達しない程度の長さになるように形成されている。本実施の形態では、外側電極体接続部１４２、１４３は、容器本体１１１の側面の半分程度の高さまで到達する長さになるように形成されている。なお、本実施の形態では、外側電極体接続部１４２と外側電極体接続部１４３とは、同じ長さになるように形成されているが、異なる長さになるように形成されていてもかまわない。
【００７１】
また、内側電極体接続部１４４、１４５は、端子接続部１４１の後方の側面（Ｘ軸方向プラス側の側面）の中央部分に接続された連結部１４８から当該複数の電極体に向けて垂れ下がるように配置されており、当該複数の電極体に接続される。つまり、内側電極体接続部１４４及び１４５は、Ｚ軸方向に延びる部材であり、ＸＺ平面に平行な面を対向して有しており、内側電極体接続部１４４は、第二電極体１６２に接続され、内側電極体接続部１４５は、第一電極体１６１に接続される。
【００７２】
また、内側電極体接続部１４４、１４５は、容器本体１１１の底面部には到達しない程度の長さになるように形成されている。本実施の形態では、内側電極体接続部１４４、１４５は、外側電極体接続部１４２、１４３と同様に、容器本体１１１の側面の半分程度の高さまで到達する長さになるように形成されている。なお、本実施の形態では、内側電極体接続部１４４と内側電極体接続部１４５とは、同じ長さになるように形成されているが、異なる長さになるように形成されていてもかまわない。また、内側電極体接続部１４４、１４５は、外側電極体接続部１４２、１４３と異なる長さになるように形成されていてもかまわない。
【００７３】
ここで、第一電極体１６１及び第二電極体１６２は、正極と負極とが、セパレータを介して、巻回軸（本実施の形態ではＸ軸方向に平行な仮想軸）の方向に互いにずらして巻回されている。そして、正極及び負極は、それぞれのずらされた方向の端縁部に、活物質層が形成されていない部分（活物質層非形成部）を有している。
【００７４】
具体的には、第一電極体１６１は、巻回軸方向の一端（Ｘ軸プラス方向の端部）に、正極の活物質層非形成部が積層された端部１６１ａ及び１６１ｂを有している。また、同様に、第二電極体１６２は、Ｘ軸プラス方向の端部に、正極の活物質層非形成部が積層された端部１６２ａ及び１６２ｂを有している。なお、端部１６１ａ、１６１ｂ及び端部１６２ａ、１６２ｂは、上述の端部１６０ａに含まれる。
【００７５】
そして、外側電極体接続部１４２は、第二電極体１６２の正極側の端部１６２ｂに、超音波溶接や抵抗溶接などの溶接等によって接合される。また、外側電極体接続部１４３についても同様に、第一電極体１６１の正極側の端部１６１ａに、超音波溶接や抵抗溶接などの溶接等によって接合される。
【００７６】
また、内側電極体接続部１４４は、第二電極体１６２の正極側の端部１６２ａに、超音波溶接や抵抗溶接などの溶接等によって接合される。また、内側電極体接続部１４５についても同様に、第一電極体１６１の正極側の端部１６１ｂに超音波溶接や抵抗溶接などの溶接等によって接合される。
【００７７】
つまり、第一電極体１６１には、外側電極体接続部１４３及び内側電極体接続部１４５が接続され、第二電極体１６２には、外側電極体接続部１４２及び内側電極体接続部１４４が接続される。このように、複数の電極体接続部は、複数の電極体のうちの１つの電極体の正極または負極に２つの電極体接続部が接続されて配置されている。
【００７８】
また、当該複数の電極体接続部のうちの少なくとも１つの電極体接続部は、電極体との接続部分において、厚みが薄くなるように形成されている。本実施の形態では、全ての電極体接続部が、電極体との接続部分において、厚みが薄くなるように形成されている。
【００７９】
つまり、外側電極体接続部１４２は、端子接続部１４１側の厚み（Ｄ１）よりも、第二電極体１６２との接続部分における厚み（Ｄ２）の方が薄くなるように形成されている。また、外側電極体接続部１４３についても同様に、端子接続部１４１側の厚みよりも、第一電極体１６１との接続部分における厚みの方が薄くなるように形成されている。
【００８０】
また、内側電極体接続部１４４は、端子接続部１４１側の厚み（Ｄ３）よりも、第二電極体１６２との接続部分における厚み（Ｄ４）の方が薄くなるように形成されている。また、内側電極体接続部１４５についても同様に、端子接続部１４１側の厚みよりも、第一電極体１６１との接続部分における厚みの方が薄くなるように形成されている。
【００８１】
補強部１４６、１４７は、複数の電極体接続部のうちのいずれかの電極体接続部と端子接続部１４１とに接続され、当該電極体接続部と端子接続部１４１との接続強度を補強する部位である。また、補強部１４６、１４７は、１つの電極体に接続される２つの電極体接続部のうちの少なくとも１つの電極体接続部と端子接続部１４１とに接続されている。
【００８２】
つまり、補強部１４６、１４７は、複数の電極体接続部のうちの最も外側の電極体接続部である外側電極体接続部１４２、１４３と端子接続部１４１とに接続され、外側電極体接続部１４２、１４３と端子接続部１４１との接続強度を補強する。具体的には、補強部１４６は、端子接続部１４１の側面（Ｙ軸方向プラス側の側面）と外側電極体接続部１４２とに接続され、補強部１４７は、端子接続部１４１の側面（Ｙ軸方向マイナス側の側面）と外側電極体接続部１４３とに接続されている。
【００８３】
このように、正極集電体１４０において、１つの電極体に接続される２つの電極体接続部のうちの一方の電極体接続部と端子接続部１４１との接続強度は、他方の電極体接続部と端子接続部１４１との接続強度よりも大きいように形成されている。つまり、複数の電極体接続部のうちの最も外側の電極体接続部と端子接続部１４１との接続強度は、他の電極体接続部と端子接続部１４１との接続強度よりも大きいように形成されている。
【００８４】
さらに具体的には、補強部１４６は、外側電極体接続部１４２の上端部（Ｚ軸方向プラス側の端部）から端子接続部１４１の側面（Ｙ軸方向プラス側の側面）に沿って、端子接続部１４１の前後方向（Ｘ軸方向）に延びるように形成されたリブである。また、補強部１４７は、外側電極体接続部１４３の上端部（Ｚ軸方向プラス側の端部）から端子接続部１４１の側面（Ｙ軸方向マイナス側の側面）に沿って、端子接続部１４１の前後方向（Ｘ軸方向）に延びるように形成されたリブである。
【００８５】
なお、補強部１４６、１４７は、リブには限定されず、外側電極体接続部１４２、１４３と端子接続部１４１との接続強度を補強する機能を果たす形状であれば、平板状など、どのような形状であってもかまわない。また、補強部１４６、１４７は、他の部位と同じ材質で形成されていることとしたが、他の部位よりも強度が高い材質によって形成されていてもよい。
【００８６】
連結部１４８は、複数の電極体と接続される複数の電極体接続部のうちの隣り合う２つの電極体接続部を連結する矩形状かつ平板状の部位である。具体的には、連結部１４８は、内側電極体接続部１４４と内側電極体接続部１４５とを連結する。また、連結部１４８は、端子接続部１４１の後方の側面（Ｘ軸方向プラス側の側面）の中央部分に接続されており、端子接続部１４１と内側電極体接続部１４４及び１４５とを接続する機能も有している。
【００８７】
また、連結部１４８は、複数の電極体のうちの隣り合う２つの電極体の間に配置される。つまり、連結部１４８は、第一電極体１６１と第二電極体１６２との間に配置される。また、連結部１４８は、スペーサ４００と当接することで、正極集電体１４０の移動を規制する。詳細については、後述する。
【００８８】
また、正極集電体１４０において、端子接続部１４１と、外側電極体接続部１４２及び１４３と、内側電極体接続部１４４及び１４５と、補強部１４６及び１４７と、連結部１４８とは、１枚の金属板を曲げ加工及び/または絞り加工することで形成されている。つまり、それぞれの電極体接続部は、端子接続部１４１から捻られることなく折り曲げられるなどして形成されている。
【００８９】
次に、絶縁部材１２０及び１３０の構成について、詳細に説明する。なお、絶縁部材１２０と絶縁部材１３０とは、同様の構成を有するため、以下では絶縁部材１２０についての説明を行い、絶縁部材１３０についての説明は省略する。
【００９０】
図７は、本発明の実施の形態に係る絶縁部材１２０の構成を示す斜視図である。具体的には、同図は、図３に示された絶縁部材１２０を奥側の斜め下方から見た場合の斜視図である。
【００９１】
同図に示すように、絶縁部材１２０は、絶縁部材本体部１２１と、絶縁部材壁部１２２とを備えている。絶縁部材本体部１２１は、絶縁部材の本体であり、正極集電体１４０と容器１００の蓋体１１０との間に配置されて正極集電体１４０と容器１００とを絶縁する矩形状かつ平板状の部位である。また、絶縁部材本体部１２１には、正極端子２００の接続部２１０が挿入される開口部１２０ａが形成されている。
【００９２】
ここで、開口部１２０ａは、円形状の貫通孔であり、具体的には、接続部２１０の外形状に対応した形状を有している。なお、開口部１２０ａの形状は、円形状には限定されず、楕円形状や四角形状などであってもかまわないが、接続部２１０の外形状に対応した形状であるのが好ましい。また、開口部１２０ａは、接続部２１０が挿入される開口部であれば貫通孔でなくともよく、半円形状や矩形状に切り欠いた切り欠き部などであってもかまわない。
【００９３】
絶縁部材壁部１２２は、絶縁部材本体部１２１の外縁から下方（Ｚ軸マイナス方向）に突起した突起状の壁部であり、絶縁部材本体部１２１の外縁の周囲を囲うように平板状の部材が環状に形成されている。ここで、絶縁部材壁部１２２は、後述のスペーサ４００の第一突起部４１１、４１２と係合する係合部１２２ａ、１２２ｂを有している。
【００９４】
係合部１２２ａ、１２２ｂは、平板状の部位であり、当該スペーサ４００の第一突起部４１１、４１２と係合することで、容器１００の内方へのスペーサ４００の移動を規制する。なお、係合部１２２ａ、１２２ｂは、絶縁部材本体部１２１の外縁から下方（Ｚ軸マイナス方向）に突起した突起状の部位（突起部）であってもかまわない。詳細については、後述する。
【００９５】
次に、スペーサ４００及び５００の構成について、詳細に説明する。なお、スペーサ４００とスペーサ５００とは、同様の構成を有するため、以下ではスペーサ４００についての説明を行い、スペーサ５００についての説明は省略する。
【００９６】
図８は、本発明の実施の形態に係るスペーサ４００の構成を示す斜視図である。具体的には、同図は、図３に示されたスペーサ４００を奥側の斜め上方から見た場合の斜視図である。
【００９７】
また、図９Ａは、本発明の実施の形態に係るスペーサ４００の第一規制部４１３の構成を拡大して示す斜視図である。また、図９Ｂは、本発明の実施の形態に係るスペーサ４００の第二規制部４１４及び第三規制部４２１、４３１の構成を拡大して示す斜視図である。具体的には、図９Ａは、図８に示されたスペーサ４００のＡ部を拡大して示す図であり、図９Ｂは、図８に示されたスペーサ４００のＢ部を拡大して示す図である。
【００９８】
これらの図に示すように、スペーサ４００は、スペーサ本体部４１０と、スペーサ側壁部４２０及び４３０と、スペーサ底面部４４０とを備えている。スペーサ本体部４１０は、スペーサ４００の本体であり、第一突起部４１１及び４１２と、第一規制部４１３と、第二規制部４１４と、規制部側方配置部４１５及び４１６とを有している。
【００９９】
第一突起部４１１、４１２は、スペーサ本体部４１０の上端部（Ｚ軸方向プラス側の端部）に配置されており、上方（Ｚ軸プラス方向）に向けて突起した矩形状かつ平板状の部位である。第一突起部４１１、４１２は、絶縁部材１２０と係合することで、絶縁部材１２０に対するスペーサ４００の位置を位置決めするとともに、第一方向（Ｘ軸方向）へのスペーサ４００の移動を規制する。詳細については、後述する。
【０１００】
第一規制部４１３は、スペーサ本体部４１０の上部（Ｚ軸方向プラス側の部分）の中央部分に配置されており、前方（Ｘ軸方向マイナス側）に突起し、上下方向（Ｚ軸方向）に延びる長尺状の部位である。つまり、第一規制部４１３は、２つの電極体である第一電極体１６１及び第二電極体１６２の間に配置され、第一電極体１６１及び第二電極体１６２に向けて突出して形成されている。
【０１０１】
これにより、第一規制部４１３は、スペーサ４００の強度を補強する。また、第一規制部４１３は、正極集電体１４０と係合することで、第一方向（Ｘ軸方向）及び第二方向（Ｚ軸方向）への正極集電体１４０の移動を規制する。
【０１０２】
具体的には、第一規制部４１３は、図９Ａに示すように、第一上面部４１３ａと、第二突起部４１３ｂとを有している。第一上面部４１３ａは、第一規制部４１３の上側（Ｚ軸方向プラス側）の面であり、正極集電体１４０の連結部１４８の下方に配置される平面形状の部位である。また、第二突起部４１３ｂは、第一上面部４１３ａから上方（Ｚ軸方向プラス側）に突起したＹ軸方向に延びるリブであり、正極集電体１４０の側方に突出して配置される。
【０１０３】
そして、第一上面部４１３ａは、正極集電体１４０と係合することで第二方向への正極集電体１４０の移動を規制し、第二突起部４１３ｂは、正極集電体１４０と係合することで第一方向への正極集電体１４０の移動を規制する。詳細については、後述する。
【０１０４】
第二規制部４１４は、スペーサ本体部４１０の下部（Ｚ軸方向マイナス側の部分）の中央部分に配置されており、前方（Ｘ軸方向マイナス側）に突起し、上下方向（Ｚ軸方向）に延びる長尺状の部位である。つまり、第二規制部４１４は、２つの電極体である第一電極体１６１及び第二電極体１６２の間に配置され、第一電極体１６１及び第二電極体１６２に向けて突出して形成されている。これにより、第二規制部４１４は、スペーサ４００の強度を補強する。
【０１０５】
具体的には、第二規制部４１４は、図９Ｂに示すように、第一規制部４１３よりも前方（Ｘ軸方向マイナス側）及び側方（Ｙ軸方向）に突出しており、第二上面部４１４ａ及び４１４ｂを有している。つまり、第二上面部４１４ａ及び４１４ｂは、第二規制部４１４が第一規制部４１３よりも側方（Ｙ軸方向）に突出することで形成された第二規制部４１４の上側（Ｚ軸方向プラス側）の面であり、正極集電体１４０の電極体接続部１４４及び１４５の下方に配置される平面形状の部位である。
【０１０６】
そして、第二規制部４１４の第二上面部４１４ａ及び４１４ｂは、正極集電体１４０と係合することで、第二方向（Ｚ軸方向）への正極集電体１４０の移動を規制する。詳細については、後述する。なお、第二規制部４１４は、第一規制部４１３を下方から支持し、第一規制部４１３の強度を補強する役割も担っている。
【０１０７】
規制部側方配置部４１５、４１６は、スペーサ本体部４１０の上部（Ｚ軸方向プラス側の部分）の第一規制部４１３の両側方（Ｙ軸方向の両側）に配置されており、前方（Ｘ軸方向マイナス側）に突起し、上下方向（Ｚ軸方向）に延びる長尺状の部位である。規制部側方配置部４１５、４１６は、スペーサ４００の強度を補強するとともに、スペーサ４００を第一電極体１６１及び第二電極体１６２に対して位置決めする機能を有している。詳細については、後述する。
【０１０８】
スペーサ側壁部４２０、４３０は、スペーサ本体部４１０の両側面から前方（Ｘ軸マイナス方向）に突出した部位である。具体的には、スペーサ側壁部４２０、４３０は、スペーサ本体部４１０の両側面に沿ってＺ軸方向に延びる長尺状かつ平板状の部位であり、第三規制部４２１、４３１を有している。
【０１０９】
第三規制部４２１、４３１は、スペーサ側壁部４２０、４３０の下部（Ｚ軸方向マイナス側の部分）に配置されており、前方（Ｘ軸方向マイナス側）に突起し、上下方向（Ｚ軸方向）に延びる長尺状の部位である。つまり、第三規制部４２１、４３１は、２つの電極体である第一電極体１６１及び第二電極体１６２の両側に配置され、第一電極体１６１及び第二電極体１６２に向けて突出して形成されている。これにより、第三規制部４２１、４３１は、スペーサ４００の強度を補強する。
【０１１０】
具体的には、第三規制部４２１及び４３１は、図９Ｂに示すように、スペーサ本体部４１０の内方へ向けて突出しており、第三規制部４２１は第三上面部４２１ａを有し、第三規制部４３１は第三上面部４３１ａを有している。つまり、第三上面部４２１ａ及び４３１ａは、第三規制部４２１及び４３１が互いに対向する方向（第三上面部４２１ａはＹ軸マイナス方向、第三上面部４３１ａはＹ軸プラス方向）に突出することで形成された第三規制部４２１及び４３１の上側（Ｚ軸方向プラス側）の面であり、正極集電体１４０の下方に配置される平面形状の部位である。
【０１１１】
そして、第三規制部４２１及び４３１の第三上面部４２１ａ及び４３１ａは、正極集電体１４０と係合することで、第二方向（Ｚ軸方向）への正極集電体１４０の移動を規制する。詳細については、後述する。
【０１１２】
なお、第三上面部４２１ａ及び４３１ａは、スペーサ本体部４１０の内方へ向けて高さが高くなるように形成された傾斜面である。つまり、第三上面部４２１ａは、Ｙ軸マイナス方向へ向けて高さが高くなるように形成されており、第三上面部４３１ａは、Ｙ軸プラス方向へ向けて高さが高くなるように形成されている。これにより、Ｙ軸方向への正極集電体１４０の移動を規制することができる。
【０１１３】
スペーサ底面部４４０は、スペーサ本体部４１０の底部から前方に突出した矩形状かつ平板状の部位であり、容器１００の底面部に載置されている。具体的には、スペーサ底面部４４０は、第一電極体１６１及び第二電極体１６２の底部と容器１００の底面部との間に配置され、第一電極体１６１及び第二電極体１６２の底部と容器１００の底面部との間の隙間を埋めるための部位である。
【０１１４】
つまり、スペーサ４００は、スペーサ底面部４４０が第一電極体１６１及び第二電極体１６２の底部と容器１００の底面部との間に挟まれることで、容器１００に対して固定されて配置されている。
【０１１５】
次に、絶縁部材１２０及び１３０と正極集電体１４０及び負極集電体１５０とスペーサ４００及び５００との関係について、詳細に説明する。なお、絶縁部材１２０、正極集電体１４０及びスペーサ４００と、絶縁部材１３０、負極集電体１５０及びスペーサ５００とは、同様の構成を有するため、以下では絶縁部材１２０、正極集電体１４０及びスペーサ４００の関係についての説明を行い、絶縁部材１３０、負極集電体１５０及びスペーサ５００の関係についての説明は省略する。
【０１１６】
図１０は、本発明の実施の形態に係る絶縁部材１２０と正極集電体１４０とスペーサ４００とが配置された構成を示す斜視図である。
【０１１７】
また、図１１Ａは、本発明の実施の形態に係るスペーサ４００の第一突起部４１２と絶縁部材１２０の係合部１２２ｂと正極集電体１４０との配置位置を拡大して示す断面図である。具体的には、同図は、図１０に示されたスペーサ４００の第一突起部４１２周りの構成をＸＺ平面に平行な平面で切断した場合の断面を示す拡大断面図である。
【０１１８】
また、図１１Ｂは、本発明の実施の形態に係るスペーサ４００の第一規制部４１３と正極集電体１４０の連結部１４８との配置位置を拡大して示す断面図である。具体的には、同図は、図１０に示されたスペーサ４００の第一規制部４１３の第二突起部４１３ｂ周りの構成をＸＺ平面に平行な平面で切断した場合の断面を示す拡大断面図である。
【０１１９】
また、図１２は、本発明の実施の形態に係る第一電極体１６１及び第二電極体１６２と正極集電体１４０とに、スペーサ４００が配置された構成を示す断面図である。具体的には、同図は、図１０に示したスペーサ４００が第一電極体１６１及び第二電極体１６２と正極集電体１４０とに配置された状態をＸＹ平面に平行な平面で切断した場合の断面を示す断面図である。
【０１２０】
まず、図１０及び図１１Ａに示すように、スペーサ４００は、絶縁部材１２０と、着脱可能（分離可能）に係合している。つまり、スペーサ４００の第一突起部４１２は、絶縁部材１２０の係合部１２２ｂと、正極集電体１４０の端子接続部１４１との間に着脱可能に配置される。具体的には、第一突起部４１２は、係合部１２２ｂ及び端子接続部１４１と、第一方向に交差する側面（第二方向に平行な側面）同士で着脱可能に当接して、配置されている。
【０１２１】
つまり、絶縁部材１２０の絶縁部材本体部１２１が端子接続部１４１の上方に配置される際に、係合部１２２ｂと端子接続部１４１との間に隙間が形成される。そして、第一突起部４１２が、係合部１２２ｂと端子接続部１４１との間の隙間に挿入されて、係合部１２２ｂと端子接続部１４１とに挟み込まれるように配置される。
【０１２２】
これにより、第一突起部４１２は、絶縁部材１２０及び正極集電体１４０と係合することで、第一方向（Ｘ軸方向）へのスペーサ４００の移動を規制する機能を有するようになる。なお、第一突起部４１１についても同様に、絶縁部材１２０の係合部１２２ａと正極集電体１４０の端子接続部１４１との間に配置されて、絶縁部材１２０及び正極集電体１４０と係合することで、第一方向（Ｘ軸方向）へのスペーサ４００の移動を規制する。
【０１２３】
なお、スペーサ４００と絶縁部材１２０との双方が突起部を有しており、当該突起部同士が係合することで、第一方向へのスペーサ４００の移動を規制することとしたが、スペーサ４００及び絶縁部材１２０のいずれか一方のみが他方と係合する突起部を有しており、当該突起部が他方と係合することで、第一方向へのスペーサ４００の移動を規制することにしてもよい。つまり、スペーサ４００及び絶縁部材１２０の少なくとも一方は、他方と係合することで、容器１００の内方（第一方向）へのスペーサ４００の移動を規制する突起部を有している。
【０１２４】
また、図１０及び図１１Ｂに示すように、スペーサ４００の第一規制部４１３の第一上面部４１３ａは、正極集電体１４０の連結部１４８の下方（Ｚ軸方向マイナス側）に配置される。また、第一規制部４１３の第二突起部４１３ｂは、連結部１４８の側方（Ｘ軸方向マイナス側）に配置される。
【０１２５】
具体的には、スペーサ本体部４１０の壁面と第二突起部４１３ｂとで正極集電体１４０の連結部１４８を挟み込むように、スペーサ４００が配置される。つまり、スペーサ本体部４１０の壁面と第二突起部４１３ｂとの間に、連結部１４８が軽圧入によって挿入される。
【０１２６】
これにより、第一規制部４１３は、正極集電体１４０の連結部１４８と係合することで、第一方向（Ｘ軸方向）及び第二方向（Ｚ軸方向）への正極集電体１４０の移動を規制する。具体的には、第一上面部４１３ａが、連結部１４８と係合することで（または、第二突起部４１３ｂの側面が連結部１４８と係合することで）、第二方向への正極集電体１４０の移動を規制する。また、第二突起部４１３ｂが、の連結部１４８と係合することで（または、スペーサ本体部４１０の壁面が連結部１４８と当接することで）、第一方向への正極集電体１４０の移動を規制する。
【０１２７】
このように、連結部１４８は、スペーサ４００の第一規制部４１３と当接することで、正極集電体１４０の移動を規制する。つまり、スペーサ４００は、連結部１４８と当接することで、正極集電体１４０の第二方向への移動を規制する。
【０１２８】
また、図１０に示すように、第二規制部４１４の第二上面部４１４ａ及び４１４ｂは、正極集電体１４０の内側電極体接続部１４４及び１４５の下方に配置される。つまり、第二上面部４１４ａ及び４１４ｂ上に内側電極体接続部１４４及び１４５が載置されるなど、第二上面部４１４ａ及び４１４ｂの上方に内側電極体接続部１４４及び１４５の先端部が配置されるように、スペーサ４００が正極集電体１４０に対して配置される。
【０１２９】
これにより、第二規制部４１４の第二上面部４１４ａ及び４１４ｂは、正極集電体１４０の内側電極体接続部１４４及び１４５の先端部と係合することで、第二方向（Ｚ軸方向）への正極集電体１４０の移動を規制する。つまり、第二規制部４１４は、内側電極体接続部１４４、１４５の先端部と当接することで、正極集電体１４０の第二方向への移動を規制する。
【０１３０】
また、第三規制部４２１及び４３１の第三上面部４２１ａ及び４３１ａは、正極集電体１４０の外側電極体接続部１４２及び１４３の下方に配置される。つまり、第三上面部４２１ａ及び４３１ａ上に外側電極体接続部１４２及び１４３が載置されるなど、第三上面部４２１ａ及び４３１ａの上方に外側電極体接続部１４２及び１４３の先端部が配置されるように、スペーサ４００が正極集電体１４０に対して配置される。
【０１３１】
これにより、第三規制部４２１、４３１の第三上面部４２１ａ、４３１ａは、正極集電体１４０の外側電極体接続部１４２及び１４３の先端部と係合することで、第二方向（Ｚ軸方向）への正極集電体１４０の移動を規制する。つまり、第三規制部４２１、４３１は、外側電極体接続部１４２、１４３の先端部と当接することで、正極集電体１４０の第二方向への移動を規制する。
【０１３２】
以上のように、スペーサ４００の第一規制部４１３、第二規制部４１４及び第三規制部４２１、４３１は、第二方向において正極集電体１４０の電極体側方（電極体の第一方向、つまりＸ軸プラス方向側）の一部と当接することで、第二方向へのスペーサ４００に対する正極集電体１４０の移動（または、正極集電体１４０に対するスペーサ４００の移動）を規制する。
【０１３３】
また、図１２に示すように、規制部側方配置部４１５は、第二電極体１６２に向けて突出して形成されており、第二電極体１６２の端部１６２ａ及び１６２ｂの間に配置される。具体的には、規制部側方配置部４１５と第一規制部４１３との間に端部１６２ａと内側電極体接続部１４４とが配置され、また、規制部側方配置部４１５とスペーサ側壁部４２０との間に端部１６２ｂと外側電極体接続部１４２とが配置される。
【０１３４】
また、同様に、規制部側方配置部４１６は、第一電極体１６１に向けて突出して形成されており、第一電極体１６１の端部１６１ａ及び１６１ｂの間に配置される。具体的には、規制部側方配置部４１６と第一規制部４１３との間に端部１６１ｂと内側電極体接続部１４５とが配置され、また、規制部側方配置部４１６とスペーサ側壁部４３０との間に端部１６１ａと外側電極体接続部１４３とが配置される。
【０１３５】
これにより、規制部側方配置部４１５、４１６は、正極集電体１４０が接合された第一電極体１６１及び第二電極体１６２に対して、スペーサ４００を位置決めして配置する。
【０１３６】
次に、絶縁部材１２０及び１３０と正極集電体１４０及び負極集電体１５０とスペーサ４００及び５００とを配置して、蓄電素子１０を製造する製造工程について、詳細に説明する。
【０１３７】
図１３及び図１４は、本発明の実施の形態に係る絶縁部材１２０及び１３０と正極集電体１４０及び負極集電体１５０とスペーサ４００及び５００とを配置して、蓄電素子１０を製造する製造工程を示す図である。
【０１３８】
まず、図１３の（ａ）に示すように、第一電極体１６１及び第二電極体１６２に、絶縁部材１２０及び１３０と正極集電体１４０及び負極集電体１５０とが配置される。具体的には、絶縁部材１２０及び正極集電体１４０が、蓋体１１０を介して、正極端子２００にかしめなどによって固定される。また、絶縁部材１３０及び負極集電体１５０が、蓋体１１０を介して、負極端子３００にかしめなどによって固定される。そして、正極集電体１４０及び負極集電体１５０が、第一電極体１６１及び第二電極体１６２に超音波溶接などによって接合される。
【０１３９】
そして、図１３の（ｂ）に示すように、正極集電体１４０の側方にスペーサ４００が配置され、負極集電体１５０側方にスペーサ５００が配置される。この際、スペーサ４００の第一突起部４１２、第一規制部４１３、第二規制部４１４及び第三規制部４２１、４３１などの各部は、図１０〜図１２に示した位置に配置される。
【０１４０】
つまり、第一突起部４１２は、絶縁部材１２０の係合部１２２ｂと正極集電体１４０の端子接続部１４１との間の隙間に挿入されて、係合部１２２ｂと端子接続部１４１との間に挟み込まれるように配置される。また、スペーサ本体部４１０の壁面と第二突起部４１３ｂとの間の隙間に正極集電体１４０の連結部１４８が挿入されることで、第一規制部４１３が配置される。また、第二規制部４１４及び第三規制部４２１、４３１は、正極集電体１４０のそれぞれの電極体接続部の先端部の下方に配置される。スペーサ５００についても、同様である。
【０１４１】
そして、図１４に示すように、絶縁部材１２０、１３０、正極集電体１４０、負極集電体１５０、スペーサ４００、５００、第一電極体１６１、第二電極体１６２などが、容器１００の容器本体１１１の内方に収容される。そして、容器本体１１１と蓋体１１０とが溶接などによって接合され、容器本体１１１の内部が密封されることで、蓄電素子１０が製造される。
【０１４２】
以上のように、本発明の実施の形態に係る蓄電素子１０によれば、１つ以上の電極体（第一電極体１６１及び第二電極体１６２）に接続される複数の電極体接続部（外側電極体接続部１４２、１４３及び内側電極体接続部１４４、１４５）のうちのいずれかの電極体接続部と、正極端子２００と電気的に接続される端子接続部１４１とに接続され、当該電極体接続部と端子接続部１４１との接続強度を補強する補強部１４６、１４７を有する正極集電体１４０を有している。ここで、正極集電体１４０に電極体を吊り下げた場合には、振動や衝撃などによって、電極体に接続される電極体接続部と正極端子２００に接続される端子接続部１４１との接続箇所に過大な負荷がかかると、正極集電体１４０が変形したり、当該接続箇所が損傷したりしてしまう虞がある。しかしながら、蓄電素子１０が有する正極集電体１４０は、補強部１４６、１４７によって、電極体接続部と端子接続部１４１との接続強度が補強されているため、電極体を吊り下げていても、正極集電体１４０が変形したり、電極体接続部と端子接続部１４１との接続箇所が損傷したりするのを抑制することができる。このため、蓄電素子１０によれば、電極体を正極集電体１４０から吊り下げる構成において、耐振動性または耐衝撃性を向上させることができる。
【０１４３】
また、正極集電体１４０は、１つの電極体の正極または負極に２つの電極体接続部が接続されているため、１つの電極体を２つの電極体接続部で保持することとなり、１つの電極体を１つの電極体接続部で保持するよりも強度が向上する。このため、蓄電素子１０によれば、複数の電極体を正極集電体１４０から吊り下げる構成において、耐振動性または耐衝撃性を向上させることができる。
【０１４４】
また、１つの電極体に接続される２つの電極体接続部は、端子接続部１４１との接続強度が異なるように形成されている。ここで、当該２つの電極体接続部ともに端子接続部１４１との接続強度を強くした場合には、電極体と正極集電体１４０との接合部位に応力がかかり、電極体の箔破れが生じる虞がある。一方、２つの電極体接続部ともに端子接続部１４１との接続強度を弱くした場合には、正極集電体１４０が電極体接続部と端子接続部１４１との接続箇所で曲がってしまう虞がある。このため、２つの電極体接続部のうちの一方の電極体接続部と端子接続部１４１との接続強度を強く、他方の電極体接続部と端子接続部１４１との接続強度を弱くすることでバランスがとれ、電極体の箔破れや正極集電体１４０の変形を抑制することができる。また、外部から強い衝撃がかかった場合には、接続強度の強い側で正極集電体１４０が変形するのを抑制し、接続強度の弱い側に衝撃の力を逃がすことができる。
【０１４５】
また、正極集電体１４０は、最も外側の電極体接続部と端子接続部１４１との接続強度が、他の電極体接続部と端子接続部１４１との接続強度よりも大きくなるように形成されている。このため、最も負荷のかかる外側における当該接続強度を大きくすることで、正極集電体１４０の強度を向上させることができるため、変形や損傷を抑制し、耐振動性または耐衝撃性を向上させることができる。
【０１４６】
また、正極集電体１４０は、１つの電極体を２つの電極体接続部で保持するとともに、当該２つの電極体接続部のうちの少なくとも１つの電極体接続部に、補強部１４６、１４７が接続されている。このため、正極集電体１４０の強度を向上させることができるため、変形や損傷を抑制することができる。
【０１４７】
また、正極集電体１４０は、複数の電極体接続部のうちの最も外側の電極体接続部に補強部１４６、１４７が接続されている。このため、最も負荷のかかる外側に補強部１４６、１４７を形成することで、正極集電体１４０の強度を向上させることができるため、変形や損傷を抑制することができる。また、補強部１４６、１４７の加工を外側から行うことができるため、補強部１４６、１４７を容易に形成することができる。
【０１４８】
また、正極集電体１４０は、端子接続部１４１の側面と最も外側の電極体接続部とに補強部１４６、１４７が接続されている。このため、電極体接続部を端子接続部１４１に強固に固定することができるため、変形や損傷を抑制することができる。
【０１４９】
また、正極集電体１４０は、電極体接続部の電極体との接続部分の厚みが薄くなるように形成されているため、電極体に電極体接続部を電極体接続部側から溶接等で接合する場合において、電極体に電極体接続部を容易に接合することができる。
【０１５０】
また、正極集電体１４０において、２つの電極体接続部を連結する連結部１４８が、２つの電極体の間に配置されている。つまり、異なる２つの電極体に接続される２つの電極体接続部を連結部１４８で連結する。これにより、当該２つの電極体同士が振動などで揺れる場合にも、当該２つの電極体接続部同士が揺れるのを抑制し、当該２つの電極体接続部の強度を向上させることができるため、正極集電体１４０が変形したり損傷したりするのを抑制することができる。
【０１５１】
また、蓄電素子１０は、正極集電体１４０の一部と当接することで正極集電体１４０の移動を規制するスペーサ４００を備えているため、正極集電体１４０が振動や衝突時の衝撃などによって揺れるのを、スペーサ４００が抑制する。これにより、蓄電素子１０によれば、複数の電極体を正極集電体１４０から吊り下げる構成においても、スペーサ４００が正極集電体１４０の揺れを抑えることができるため、正極集電体１４０が変形したり損傷したりするのを抑制し、耐振動性または耐衝撃性を向上させることができる。
【０１５２】
また、スペーサ４００が有する、正極集電体１４０の移動を規制するための第一規制部４１３は、電極体に向けて突出して形成されているため、第一規制部４１３によってスペーサ４００の強度を補強することができる。このため、第一規制部４１３によってスペーサ４００の強度を補強しつつ正極集電体１４０の揺れを抑えることができるため、正極集電体１４０が変形したり損傷したりするのを抑制することができる。
【０１５３】
また、スペーサ４００の第一規制部４１３は、２つの電極体の間に配置されるように構成されているため、第一規制部４１３を当該２つの電極体の間に配置することで、スペーサ４００を電極体に対して位置決めすることができる。
【０１５４】
また、スペーサ４００は、正極集電体１４０の隣り合う２つの電極体接続部を連結する連結部１４８と当接することで、正極集電体１４０の移動を規制する。このため、スペーサ４００と正極集電体１４０の一部とを簡易に当接させることができるため、簡易な構成で、正極集電体１４０が変形したり損傷したりするのを抑制することができる。
【０１５５】
また、スペーサ４００は、正極集電体１４０の内側電極体接続部１４４、１４５と当接することで正極集電体１４０の移動を規制する第二規制部４１４を有するため、第二規制部４１４によってスペーサ４００と正極集電体１４０の一部とを簡易に当接させることができる。このため、簡易な構成で、正極集電体１４０が変形したり損傷したりするのを抑制することができる。
【０１５６】
また、スペーサ４００の第二規制部４１４は、電極体に向けて突出して形成されているため、第二規制部４１４によってスペーサ４００の強度を補強することができる。このため、第二規制部４１４によってスペーサ４００の強度を補強しつつ正極集電体１４０の揺れを抑えることができるため、正極集電体１４０が変形したり損傷したりするのを抑制することができる。
【０１５７】
また、スペーサ４００は、正極集電体１４０の外側電極体接続部１４２、１４３と当接することで正極集電体１４０の移動を規制する第三規制部４２１、４３１を有するため、第三規制部４２１、４３１によってスペーサ４００と正極集電体１４０の一部とを簡易に当接させることができる。このため、簡易な構成で、正極集電体１４０が変形したり損傷したりするのを抑制することができる。
【０１５８】
また、蓄電素子１０において、正極集電体１４０の側方に配置されたスペーサ４００と容器１００に固定された固定部材との少なくとも一方は、他方と係合することで、容器１００に対する第一方向へのスペーサ４００の移動を規制する突起部（第一突起部４１１、４１２及び係合部１２２ａ、１２２ｂ）を有している。このため、当該突起部によって、容器１００に対する第一方向へのスペーサ４００の移動が規制されるため、スペーサ４００の側方に配置された正極集電体１４０が振動や衝突時の衝撃などによって第一方向へ揺れるのを、スペーサ４００が抑制することができる。これにより、蓄電素子１０によれば、複数の電極体を正極集電体１４０から吊り下げる構成においても、スペーサ４００が正極集電体１４０の揺れを抑えることができるため、正極集電体１４０が変形したり損傷したりするのを抑制し、耐振動性または耐衝撃性を向上させることができる。
【０１５９】
また、容器１００に固定された固定部材として、正極集電体１４０と容器１００とを絶縁する絶縁部材１２０を用いることができるため、簡易な構成で、容器１００に対するスペーサ４００の移動を規制することができる。
【０１６０】
また、スペーサ４００と絶縁部材１２０とが着脱可能に構成されているため、簡易な構成で、スペーサ４００を絶縁部材１２０に配置することができる。
【０１６１】
また、スペーサ４００の第一突起部４１１、４１２と絶縁部材１２０の係合部１２２ａ、１２２ｂとが係合することでスペーサ４００の第一方向への移動を規制するため、簡易な構成で、容器１００に対するスペーサ４００の移動を規制することができる。
【０１６２】
また、スペーサ４００の第一突起部４１１、４１２を、絶縁部材１２０の係合部１２２ａ、１２２ｂと正極集電体１４０との間に着脱可能に配置する構成とすることで、簡易な構成で、容器１００に対するスペーサ４００の移動をさらに規制することができる。
【０１６３】
また、スペーサ４００は、正極集電体１４０の側方の第二突起部４１３ｂによって、第一方向への正極集電体１４０の移動を規制することができるため、簡易な構成で、スペーサ４００に対する正極集電体１４０の移動を規制することができる。
【０１６４】
なお、絶縁部材１２０、正極集電体１４０及びスペーサ４００と、絶縁部材１３０、負極集電体１５０及びスペーサ５００とは、同様の構成を有するため、絶縁部材１３０、負極集電体１５０及びスペーサ５００についても、上記の絶縁部材１２０、正極集電体１４０及びスペーサ４００についての効果と同様の効果を奏する。
【０１６５】
（変形例１）
次に、上記実施の形態の変形例１について、説明する。
【０１６６】
図１５は、本発明の実施の形態の変形例１に係る正極集電体１７０を正面（Ｘ軸方向マイナス側）から見た場合の正面図である。
【０１６７】
同図に示すように、正極集電体１７０は、端子接続部１７１、外側電極体接続部１７２、１７３と、内側電極体接続部１７４、１７５と、補強部１７６、１７７と、連結部１７８とを有している。ここで、端子接続部１７１、補強部１７６、１７７及び連結部１７８は、上記実施の形態の正極集電体１４０における端子接続部１４１、補強部１４６、１４７及び連結部１４８と同様の構成を有するため、説明は省略する。
【０１６８】
外側電極体接続部１７２及び１７３は、先端が外方に向けて曲がった先端部１７２ａ及び１７３ａを有している。つまり、外側電極体接続部１７２は、先端がＹ軸方向プラス側に向けて曲がった先端部１７２ａを有し、外側電極体接続部１７３は、先端がＹ軸方向マイナス側に向けて曲がった先端部１７３ａを有している。
【０１６９】
具体的には、外側電極体接続部１７２及び１７３は、先端部１７２ａ及び１７３ａが、スペーサ４００の第三規制部４２１及び４３１の第三上面部４２１ａ及び４３１ａに向けて曲がるように形成されている。これにより、先端部１７２ａ及び１７３ａが第三規制部４２１、４３１と当接することで、正極集電体１４０の第二方向（Ｚ軸方向）への移動を規制する。
【０１７０】
また、内側電極体接続部１７４及び１７５は、先端が内方に向けて曲がった先端部１７４ａ及び１７５ａを有している。つまり、内側電極体接続部１７４は、先端がＹ軸方向マイナス側に向けて曲がった先端部１７４ａを有し、内側電極体接続部１７５は、先端がＹ軸方向プラス側に向けて曲がった先端部１７５ａを有している。
【０１７１】
具体的には、内側電極体接続部１７４及び１７５は、先端部１７４ａ及び１７５ａが、スペーサ４００の第二規制部４１４の第二上面部４１４ａ及び４１４ｂに向けて曲がるように形成されている。これにより、先端部１７４ａ及び１７５ａが第二規制部４１４の第二上面部４１４ａ及び４１４ｂと当接することで、正極集電体１７０の第二方向（Ｚ軸方向）への移動を規制する。
【０１７２】
以上のように、本発明の実施の形態の変形例１に係る蓄電素子によれば、上記実施の形態と同様の効果を奏する。特に、外側電極体接続部１７２及び１７３が第三上面部４２１ａ及び４３１ａの真上に配置されない場合でも、外側電極体接続部１７２及び１７３の先端部１７２ａ及び１７３ａを第三上面部４２１ａ及び４３１ａの真上に配置させることができる。また、内側電極体接続部１７４及び１７５が第二上面部４１４ａ及び４１４ｂの真上に配置されない場合でも、内側電極体接続部１７４及び１７５の先端部１７４ａ及び１７５ａを第二上面部４１４ａ及び４１４ｂの真上に配置させることができる。
【０１７３】
このため、正極集電体１７０の外側電極体接続部１７２、１７３は、第三規制部４２１、４３１に向けて曲がるように形成された先端部１７２ａ、１７３ａで第三規制部４２１、４３１と当接することで、簡易にスペーサ４００に当接することができる。このため、簡易な構成で、正極集電体１７０が変形したり損傷したりするのを抑制し、耐振動性または耐衝撃性を向上させることができる。
【０１７４】
また、正極集電体１７０の内側電極体接続部１７４、１７５は、第二規制部４１４に向けて曲がるように形成された先端部１７４ａ、１７５ａで第二規制部４１４と当接することで、簡易にスペーサ４００に当接することができる。このため、簡易な構成で、正極集電体１７０が変形したり損傷したりするのを抑制し、耐振動性または耐衝撃性を向上させることができる。
【０１７５】
また、負極集電体１５０についても、同様の構成にすることができる。
【０１７６】
（変形例２）
次に、上記実施の形態の変形例２について、説明する。
【０１７７】
図１６は、本発明の実施の形態の変形例２に係る正極集電体１８０の構成を示す斜視図である。また、図１７は、本発明の実施の形態の変形例２に係る正極集電体１８０を正面（Ｘ軸方向マイナス側）から見た場合の正面図である。また、図１８は、本発明の実施の形態の変形例２に係る正極集電体１８０が第一電極体１６１及び第二電極体１６２に接続されている構成を示す断面図である。
【０１７８】
これらの図に示すように、正極集電体１８０は、端子接続部１８１、外側電極体接続部１８２、１８３と、内側電極体接続部１８４、１８５と、補強部１８６、１８７と、連結部１８８とを有している。ここで、端子接続部１８１、補強部１８６、１８７及び連結部１８８は、上記実施の形態の正極集電体１４０における端子接続部１４１、補強部１４６、１４７及び連結部１４８と同様の構成を有するため、説明は省略する。
【０１７９】
外側電極体接続部１８２と内側電極体接続部１８４とは、端子接続部１８１側とは反対側の方が間隔が狭くなるように形成されている。つまり、外側電極体接続部１８２と内側電極体接続部１８４との間隔は、端子接続部１８１側の間隔Ｄ５よりも、端子接続部１８１側とは反対側の間隔Ｄ６の方が狭くなるように形成されている。
【０１８０】
また、同様に、外側電極体接続部１８３と内側電極体接続部１８５とは、端子接続部１８１側とは反対側の方が間隔が狭くなるように形成されている。つまり、外側電極体接続部１８３と内側電極体接続部１８５との間隔は、端子接続部１８１側の間隔よりも、端子接続部１８１側とは反対側の間隔の方が狭くなるように形成されている。
【０１８１】
このように、１つの電極体に接続される２つの電極体接続部は、端子接続部１８１側とは反対側の方が間隔が狭くなるように形成されている。つまり、当該２つの電極体接続部は、正極端子２００側よりも電極体側の方が間隔が狭くなるように形成されている。
【０１８２】
以上のように、本発明の実施の形態の変形例２に係る蓄電素子によれば、上記実施の形態と同様の効果を奏する。負極集電体１５０についても、同様の構成にすることができる。
【０１８３】
特に、正極集電体１８０は、１つの電極体に接続される２つの電極体接続部が、端子接続部１８１側とは反対側（電極体との接続部分）の方が間隔が狭くなるように形成されている。ここで、当該２つの電極体接続部のそれぞれは、電極体の金属箔が積層された中心位置で接合されるのが好ましいが、当該２つの電極体接続部の間隔が２つの金属箔の積層中心の間隔よりも広い場合がある。この場合には、当該２つの電極体接続部の間隔が狭くなるように形成することで、図１８に示すように、当該２つの電極体接続部のそれぞれを、電極体の金属箔が積層された中心位置で接合されることができる。つまり、電極体の金属箔を束ねた場合に、端部１６２ｂ、１６１ａをＹ軸方向の中心位置に配置して、外側電極体接続部１８２、１８３と接合させることができる。これにより、正極集電体１８０を電極体に適切に接続することができる。
【０１８４】
また、外側電極体接続部１８２及び１８３の間隔を狭くすることができるため、第一電極体１６１及び第二電極体１６２のＹ軸方向への広がりを抑制し、第一電極体１６１及び第二電極体１６２を、容器１００の容器本体１１１に容易に挿入することができる。
【０１８５】
なお、本変形例２においては、電極体接続部の厚みは変化しないように図示しているが、上記実施の形態と同様に、複数の電極体接続部のうちの少なくとも１つの電極体接続部が、電極体との接続部分において、厚みが薄くなるように形成されている構成であってもかまわない。
【０１８６】
（変形例３）
次に、上記実施の形態の変形例３について、説明する。
【０１８７】
図１９は、本発明の実施の形態の変形例３に係る正極集電体１９０を正面（Ｘ軸方向マイナス側）から見た場合の正面図である。
【０１８８】
同図に示すように、正極集電体１９０は、端子接続部１９１、外側電極体接続部１９２、１９３と、内側電極体接続部１９４、１９５と、補強部１９６、１９７と、連結部１９８とを有している。ここで、端子接続部１９１、補強部１９６、１９７及び連結部１９８は、上記実施の形態の正極集電体１４０における端子接続部１４１、補強部１４６、１４７及び連結部１４８と同様の構成を有するため、説明は省略する。
【０１８９】
ここで、外側電極体接続部１９２と内側電極体接続部１９４とは、間隔が同じになるように形成されており、外側電極体接続部１９３と内側電極体接続部１９５とも、間隔が同じになるように形成されている。また、内側電極体接続部１９４と内側電極体接続部１９５とは、端子接続部１９１側とは反対側の方が間隔が狭くなるように形成されている。つまり、内側電極体接続部１９４と内側電極体接続部１９５との間隔は、端子接続部１９１側の間隔Ｄ７よりも、端子接続部１９１側とは反対側の間隔Ｄ８の方が狭くなるように形成されている。
【０１９０】
以上のように、本発明の実施の形態の変形例３に係る蓄電素子によれば、上記実施の形態と同様の効果を奏する。特に、２つの内側電極体接続部同士の間隔を狭くした場合に、正極集電体１９０を電極体に適切に接続することができる場合に、有効である。なお、本変形例３においても、複数の電極体接続部のうちの少なくとも１つの電極体接続部が、電極体との接続部分において、厚みが薄くなるように形成されている構成であってもかまわない。負極集電体１５０についても、同様の構成にすることができる。
【０１９１】
（変形例４）
次に、上記実施の形態の変形例４について、説明する。
【０１９２】
図２０は、本発明の実施の形態の変形例４に係る正極集電体２４０の構成を示す斜視図である。
【０１９３】
同図に示すように、正極集電体２４０は、端子接続部２４１、外側電極体接続部２４２、２４３と、内側電極体接続部２４４、２４５と、補強部２４６、２４７と、連結部２４８とを有している。ここで、端子接続部２４１、外側電極体接続部２４２、２４３、内側電極体接続部２４４、２４５、及び補強部２４６、２４７は、上記実施の形態の正極集電体１４０における端子接続部１４１、外側電極体接続部１４２、１４３、内側電極体接続部１４４、１４５、及び補強部１４６、１４７と同様の構成を有するため、説明は省略する。
【０１９４】
連結部２４８は、ビード部２４９を有している。具体的には、ビード部２４９は、連結部２４８の強度を高めるために、連結部２４８に形成された補強部である。つまり、補強部２４６、２４７が配置されている外側電極体接続部２４２、２４３に比べ、内側電極体接続部２４４、２４５の方が端子接続部２４１との接続強度が低くなるため、内側と外側との接続強度の差が大きい場合には、例えば、ビード部２４９を設けることで、接続強度の差を調整することができる。
【０１９５】
このように、連結部２４８は、内側電極体接続部２４４、２４５と端子接続部２４１とに接続され、内側電極体接続部２４４、２４５と端子接続部２４１との接続強度を補強する補強部としての役割を担う。
【０１９６】
ここで、ビード部２４９は、連結部２４８の中央部分において上下方向（Ｚ軸方向）に延び、かつ、正極集電体２４０の内側（Ｘ軸方向マイナス側）に突出するように形成されている。つまり、ビード部２４９は、連結部２４８の外側（Ｘ軸方向プラス側）の面は凹形状を有し、連結部２４８の内側（Ｘ軸方向マイナス側）の面は凸形状を有するビードによって形成されている。
【０１９７】
なお、ビード部２４９は、連結部２４８の外側（Ｘ軸方向プラス側）の面が凸形状を有し、連結部２４８の内側（Ｘ軸方向マイナス側）の面が凹形状を有するビードによって形成されている構成でもかまわない。また、ビード部２４９は、一方の面が凸形状を有するのみであり、他方の面は凹形状を有することなく平面形状である構成でもかまわない。
【０１９８】
以上のように、本発明の実施の形態の変形例４に係る蓄電素子によれば、上記実施の形態と同様の効果を奏する。特に、連結部２４８がビード部２４９を有しているため、正極集電体２４０の強度を向上させることができ、耐振動性または耐衝撃性を向上させることができる。負極集電体１５０についても、同様の構成にすることができる。
【０１９９】
以上、本発明の実施の形態及びその変形例に係る蓄電素子について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０２００】
例えば、上記実施の形態及びその変形例では、補強部は、１つの電極体に接続される２つの電極体接続部のうちの一方の電極体接続部に接続されていることとしたが、２つの電極体接続部の双方に接続される２つの補強部が配置されていることにしてもよい。つまり、内側電極体接続部と端子接続部とに接続された補強部も配置されていることにしてもよい。
【０２０１】
また、上記実施の形態及びその変形例では、補強部は、外側電極体接続部に接続されていることとしたが、外側電極体接続部に代えて、内側電極体接続部に接続されていることにしてもよい。
【０２０２】
また、上記実施の形態及びその変形例では、補強部は、端子接続部の側面と外側電極体接続部とに接続されていることとしたが、例えば端子接続部の裏面と外側電極体接続部とに接続されていることにしてもよい。
【０２０３】
また、上記実施の形態及びその変形例では、集電体の連結部は、隣り合う２つの電極体の間に配置されることとしたが、連結部の位置は、電極体の側方などでもよく、２つの電極体の間に配置されることには限定されない。
【０２０４】
また、上記実施の形態及びその変形例では、スペーサの第一規制部は、隣り合う２つの電極体の間に配置されることとしたが、第一規制部の位置は、電極体の側方などでもよく、２つの電極体の間に配置されることには限定されない。
【０２０５】
また、上記実施の形態及びその変形例では、集電体と電極端子とは接続部によるかしめによって接続されていることとしたが、接続部による接続方法はかしめには限定されず、どのような方法によって接続されていてもよい。
【０２０６】
また、上記実施の形態及びその変形例では、蓄電素子は２つの電極体を備えていることとしたが、蓄電素子は１つの電極体しか備えていないことにしてもよいし、３つ以上の電極体を備えていることにしてもよい。つまり、蓄電素子は、１つ以上の電極体を備えていればよく、集電体が有する複数の電極体接続部は、当該１つ以上の電極体に接続されていればよい。
【０２０７】
また、上記実施の形態及びその変形例では、集電体の２つの電極体接続部が１つの電極体に接続されることとしたが、１つの電極体に接続される電極体接続部の数は限定されず、１つであってもよいし、３つ以上であってもかまわない。
【０２０８】
また、上記実施の形態及びその変形例では、第二方向はＺ軸方向であることとしたが、第二方向は第一方向（Ｘ軸方向）と交差する方向であればよい。つまり、第二方向はＹ軸方向であってもよいし、その他のＸ軸方向と交差する方向であってもかまわない。
【０２０９】
また、上記実施の形態及びその変形例では、負極集電体は、正極集電体と同様の構成を有していることとしたが、上記の構成を有するのは正極集電体のみであってもよい。または、負極集電体のみが上記の構成を有することにしてもかまわない。
【０２１０】
また、上記実施の形態及びその変形例では、容器に固定された固定部材は、集電体と容器とを絶縁する絶縁部材であることとしたが、固定部材は、容器に固定された部材であればよく、当該絶縁部材には限定されない。
【０２１１】
また、上記実施の形態及び上記変形例を任意に組み合わせて構築される形態も、本発明の範囲内に含まれる。例えば、上記変形例２または３に、変形例１に係る変形を施したり、上記変形例１〜３に、変形例４に係る変形を施したりしてもかまわない。また、本発明は、上記のような蓄電素子として実現することができるだけでなく、蓄電素子が備える集電体、スペーサまたは絶縁部材としても実現することができる。
【産業上の利用可能性】
【０２１２】
本発明は、リチウムイオン二次電池などの蓄電素子等に適用できる。
【符号の説明】
【０２１３】
１０  蓄電素子
１００  容器
１１０  蓋体
１１０ａ、１１０ｂ  貫通孔
１１１  容器本体
１２０、１３０  絶縁部材
１２０ａ、１３０ａ  開口部
１２１  絶縁部材本体部
１２２  絶縁部材壁部
１２２ａ、１２２ｂ  係合部
１４０、１７０、１８０、１９０、２４０  正極集電体
１４０ａ、１５０ａ  開口部
１４１、１７１、１８１、１９１、２４１  端子接続部
１４２、１４３、１７２、１７３、１８２、１８３、１９２、１９３、２４２、２４３  外側電極体接続部
１４４、１４５、１７４、１７５、１８４、１８５、１９４、１９５、２４４、２４５  内側電極体接続部
１４６、１４７、１７６、１７７、１８６、１８７、１９６、１９７、２４６、２４７  補強部
１４８、１７８、１８８、１９８、２４８  連結部
１５０  負極集電体
１６０ａ、１６０ｂ、１６１ａ、１６１ｂ、１６２ａ、１６２ｂ  端部
１６１  第一電極体
１６２  第二電極体
１６３  絶縁フィルム
１７２ａ、１７３ａ、１７４ａ、１７５ａ  先端部
２００  正極端子
２１０、３１０  接続部
２４９  ビード部
３００  負極端子
４００、５００  スペーサ
４１０  スペーサ本体部
４１１、４１２  第一突起部
４１３  第一規制部
４１３ａ  第一上面部
４１３ｂ  第二突起部
４１４  第二規制部
４１４ａ、４１４ｂ  第二上面部
４１５、４１６  規制部側方配置部
４２０、４３０  スペーサ側壁部
４２１、４３１  第三規制部
４２１ａ、４３１ａ  第三上面部
４４０  スペーサ底面部
【図１】
2015135768.tif 000003
【図２】
2015135768.tif 000004
【図３】
2015135768.tif 000005
【図４】
2015135768.tif 000006
【図５】
2015135768.tif 000007
【図６】
2015135768.tif 000008
【図７】
2015135768.tif 000009
【図８】
2015135768.tif 000010
【図９Ａ】
2015135768.tif 000011
【図９Ｂ】
2015135768.tif 000012
【図１０】
2015135768.tif 000013
【図１１Ａ】
2015135768.tif 000014
【図１１Ｂ】
2015135768.tif 000015
【図１２】
2015135768.tif 000016
【図１３】
2015135768.tif 000017
【図１４】
2015135768.tif 000018
【図１５】
2015135768.tif 000019
【図１６】
2015135768.tif 000020
【図１７】
2015135768.tif 000021
【図１８】
2015135768.tif 000022
【図１９】
2015135768.tif 000023
【図２０】
2015135768.tif 000024